(57)【要約】【課題】複数の放送受信装置におけるスタンバイ中の消費電力を削減し、予め定めた優先順位にしたがって、緊急警報放送の受信が可能な放送受信装置のうち、少なくとも１台の放送受信装置が緊急警報放送の受信を監視できるようにする。【解決手段】放送受信装置のメインコントローラ１４は、緊急警報放送の監視が可能な状態の際に、通信部１９を介して他の放送受信装置と通信を行い、他の放送受信装置が緊急警報放送の監視を行っていない場合、あるいは、予め定めた優先順位にしたがって自放送受信装置よりも優先順位の低い他の放送受信装置が緊急警報放送の監視している場合に、緊急警報放送監視部１８に緊急警報放送の監視を行わせる。また、自放送受信装置よりも前記優先順位の高い他の放送受信装置が緊急警報放送の監視している場合には、緊急警報放送監視部１８に緊急警報放送の監視を停止させる。【選択図】図１
2014192834.tif 000002
【特許請求の範囲】
【請求項１】
デジタル放送を受信する受信部と、
表示部と、
受信したデジタル放送に含まれる緊急警報放送の監視を行う緊急警報放送監視部と、
他の放送受信装置との通信を行う通信部と、
前記緊急警報放送監視部が前記緊急警報放送の受信を検知した際に、前記緊急警報放送の放送内容を前記表示部に表示する制御部とを備えた放送受信装置において、
前記制御部は、緊急警報放送の監視が可能な状態の際に、前記通信部を介して他の放送受信装置と通信を行い、他の放送受信装置が緊急警報放送の監視を行っていない場合、あるいは、予め定めた優先順位にしたがって自放送受信装置よりも優先順位の低い他の放送受信装置が緊急警報放送の監視している場合に、前記緊急警報放送監視部に緊急警報放送の監視を行わせることを特徴とする放送受信装置。
【請求項２】
前記制御部は、緊急警報放送の監視を行っている際に、前記通信部を介して他の放送受信装置と通信を行い、自放送受信装置よりも前記優先順位の高い他の放送受信装置が緊急警報放送の監視している場合に、前記緊急警報放送監視部に緊急警報放送の監視を停止させることを特徴とする請求項１に記載の放送受信装置。
【請求項３】
前記制御部は、緊急警報放送監視部に緊急警報放送の監視を行わせる際に、他の放送受信装置に対して、緊急警報放送の監視を始める旨の信号を送信することを特徴とする請求項１に記載の放送受信装置。
【請求項４】
前記制御部は、緊急警報放送の監視を行っている際に、他の放送受信装置が監視を始める旨の信号を受信した場合に、前記緊急警報放送監視部に緊急警報放送の監視を停止させることを特徴とする請求項３に記載の放送受信装置。
【請求項５】
前記制御部は、緊急警報放送の監視を行っている状態から緊急警報放送の監視を停止した状態に移行した際に、他の放送受信装置に対して緊急警報放送の監視を停止する旨の信号を送信することを特徴とする請求項１から４のいずれか１に記載の放送受信装置。
【発明の詳細な説明】
【技術分野】
【０００１】
本発明は放送受信装置に関し、詳しくは、緊急警報放送を受信可能な放送受信装置に関する。
【背景技術】
【０００２】
テレビ放送では、地震や津波等の非常災害時に、緊急警報放送を発信して放送受信装置側を制御することで、緊急災害に関する情報提供のための緊急警報放送を受信させる緊急警報放送発令システムを有している。
【０００３】
このような緊急警報放送発令システムに対応した放送受信装置としては、スタンバイ状態（または、「待機状態」ともいう）でも緊急警報放送を受信するための回路を作動させており、緊急警報放送を受信した際には直ちに電源をオンにして放送の受信状態に移行する。これにより、緊急警報放送の開始時に放送受信装置の主電源がオフの状態であったとしても、放送を受信することが可能となっている。
【０００４】
しかしながら、家庭内に複数台の放送受信装置が存在する状況では、全ての放送受信装置が緊急警報放送の監視を行うため、トータルでのスタンバイ中の消費電力が多くなってしまうという問題があった。このため、例えば、特許文献１には、緊急警報放送に対応可能な受信装置であっても、他の受信機から緊急警報を受信できない状態にしても良い信号を通信手段にて受信したときには、緊急放送対応チューナへの電源供給を停止し、待機電力を削減することが開示されている。
【先行技術文献】
【特許文献】
【０００５】
【特許文献１】特開２００６−１２８９０３号公報
【発明の概要】
【発明が解決しようとする課題】
【０００６】
しかしながら、特許文献１に開示された放送受信装置では、他の放送受信装置からの信号により緊急警報の監視を停止した後に、緊急警報を受信できない状態にしても良い信号を送信した他の放送受信装置自体が電源断やユーザ操作などで緊急警報監視できない状態になったときに、複数台の放送受信装置全てが緊急警報監視していない状態が発生するという問題があった。
【０００７】
本発明は、これらの実情に鑑みてなされたものであり、複数の放送受信装置におけるスタンバイ中の消費電力を削減し、予め定めた優先順位にしたがって、緊急警報放送の受信が可能な放送受信装置のうち、少なくとも１台の放送受信装置が緊急警報放送の受信を監視できるようにした放送受信装置を提供することをその目的とする。
【課題を解決するための手段】
【０００８】
上記課題を解決するために、本発明の第１の技術手段は、デジタル放送を受信する受信部と、表示部と、受信したデジタル放送に含まれる緊急警報放送の監視を行う緊急警報放送監視部と、他の放送受信装置との通信を行う通信部と、前記緊急警報放送監視部が前記緊急警報放送の受信を検知した際に、前記緊急警報放送の放送内容を前記表示部に表示する制御部とを備えた放送受信装置において、前記制御部は、緊急警報放送の監視が可能な状態の際に、前記通信部を介して他の放送受信装置と通信を行い、他の放送受信装置が緊急警報放送の監視を行っていない場合、あるいは、予め定めた優先順位にしたがって自放送受信装置よりも優先順位の低い他の放送受信装置が緊急警報放送の監視している場合に、前記緊急警報放送監視部に緊急警報放送の監視を行わせることを特徴としたものである。
【０００９】
第２の技術手段は、第１の技術手段において、前記制御部は、緊急警報放送の監視を行っている際に、前記通信部を介して他の放送受信装置と通信を行い、自放送受信装置よりも前記優先順位の高い他の放送受信装置が緊急警報放送の監視している場合に、前記緊急警報放送監視部に緊急警報放送の監視を停止させることを特徴としたものである。
【００１０】
第３の技術手段は、第１の技術手段において、前記制御部は、緊急警報放送監視部に緊急警報放送の監視を行わせる際に、他の放送受信装置に対して、緊急警報放送の監視を始める旨の信号を送信することを特徴としたものである。
【００１１】
第４の技術手段は、第３の技術手段において、前記制御部は、緊急警報放送の監視を行っている際に、他の放送受信装置が監視を始める旨の信号を受信した場合に、前記緊急警報放送監視部に緊急警報放送の監視を停止させることを特徴としたものである。
【００１２】
第５の技術手段は、第１から４のいずれか１の技術手段において、前記制御部は、緊急警報放送の監視を行っている状態から緊急警報放送の監視を停止した状態に移行した際に、他の放送受信装置に対して緊急警報放送の監視を停止する旨の信号を送信することを特徴としたものである。
【発明の効果】
【００１３】
本発明によれば、緊急警報放送を受信可能な複数の放送受信装置のうち、少なくとも１台の放送受信装置によって緊急警報放送を監視できるため、複数の放送受信装置におけるスタンバイ中の消費電力を削減しつつ、緊急警報放送の監視を確実に継続することができる。
【図面の簡単な説明】
【００１４】
【図１】本発明の一実施形態に係る放送受信装置の一構成例を示すブロック図である。
【図２】図１に示す放送受信装置において、緊急警報放送の監視を始める際の手順の一例を説明するためのフロー図である。
【図３】図１に示す放送受信装置における、優先順位情報を含んだ監視状態テーブルの一例を示す図である。
【図４】複数の放送受信装置における緊急警報放送の監視の遷移を説明するための図である。
【図５】図４に示す各放送受信装置における、優先順位情報を含んだ監視状態テーブルの内容を説明するための図である。
【図６】図１に示す放送受信装置において、緊急警報放送の監視中の手順の一例を説明するためのフロー図である。
【図７】図１に示す放送受信装置において、緊急警報放送の監視を始める際の手順の他の例を説明するためのフロー図である。
【図８】図１に示す放送受信装置において、緊急警報放送の監視中の手順の他の例を説明するためのフロー図である。
【発明を実施するための形態】
【００１５】
以下、図面を参照しながら、本発明の放送受信装置に係る好適な実施の形態について説明する。本発明の一実施形態に係る放送受信装置の一構成例を示すブロック図である。
【００１６】
放送受信装置１００は、受信部１１、ＡＶデータ処理部１２、ＡＶデータ出力部１３、メインコントローラ１４、サブコントローラ１５、リモコン受信部１６、電源回路１７、緊急警報放送監視部１８、および、通信部１９を備えている。なお、図１には、例として、他の放送受信装置２００および３００についても記載しているが、これらの放送受信装置２００、３００は放送受信装置１００と同じ構成を有するものであり、それぞれ通信部２１９、３１９のみを図示し、その他の構成部材については図示を省略している。
【００１７】
受信部１１は、操作信号などに基づいて選局されたチャンネルのデジタル放送信号をアンテナ等から受信するチューナ部１１ａと、チューナ部１１ａで受信したデジタル放送信号を復調する復調部１１ｂとを有している。受信部１１は、図示しない分離部によって復調部１１ｂから出力されたＴＳパケットのストリームを、映像データ、音声データ、その他の付加情報のデータといったコンポーネント毎のデータに分離し、ＡＶデータ処理部１２に渡す。
【００１８】
ＡＶデータ処理部１２は、映像データ処理部１２ａと音声データ処理部１２ｂを有し、受信部１１から出力された映像データ、音声データをＡＶデータ出力部１３で出力するための復号処理を含む各種の信号変換処理を行う。ＡＶデータ出力部１３は、例えば液晶パネルなどからなる表示パネル１３ａと表示パネル１３ａを駆動するための駆動回路、および、音声を出力するためのスピーカ１３ｂとを有している。そして、ＡＶデータ出力部１３は、ＡＶデータ処理部１２で復号処理された映像データと音声データを受取り、映像データが示す映像を表示パネル１３ａで表示し、音声データが示す音声をスピーカ１３ｂから出力している。また、番組情報や電子番組表などもユーザ操作に従い表示パネル１３ａで表示される。
【００１９】
メインコントローラ１４は本発明の制御部に相当するものであり、ＣＰＵ、ＲＯＭ、ＲＡＭ等からなるマイコンとして構成され、受信部１１、ＡＶデータ処理部１２、ＡＶデータ出力部１３、後述する緊急警報放送監視部１８、通信部１９等の放送受信装置１全体を直接的または間接的に制御している。メインコントローラ１４には、緊急警報放送の監視を緊急警報放送監視部１８に指示するための監視決定部１４ａ、自他の放送受信装置における緊急警報放送の監視状態を記録するための監視状態テーブル１４ｂ、予め定めた緊急警報放送の監視を行う際の優先順位情報１４ｃを有しており、これらについては、後で詳述する。
【００２０】
サブコントローラ１５は、メインコントローラ１４と同様に、ＣＰＵ、ＲＯＭ、ＲＡＭ等からなるマイコンとして構成されるが、主として、図示しないリモートコントローラからリモコン受信部１６を介して入力される種々のユーザからの操作信号に対応できるようになっている。
【００２１】
例えば、操作信号がチャンネルの切り替えを示す信号であれば、サブコントローラ１５がその信号をメインコントローラ１４に渡し、メインコントローラ１４がその信号に従って、チューナ部１１ａに対して選局対象となったチャンネル（周波数帯域、あるいは伝送チャンネルとも言う）の選局を実行させる。また、ボリューム調整の操作信号も、サブコントローラ１５がその信号をメインコントローラ１４に渡し、音声データ処理部１２ｂに対してスピーカ１３ｂの音声出力を調整させるようにしている。
【００２２】
電源回路１７は、図示しない商用交流電源から入力された交流電源を直流変換し、放送受信装置１００内の各部に電源を供給している。サブコントローラ１５は電源回路１７の制御を担当しており、サブコントローラ１５と電源回路１７とで電源制御部を構成している。例えば、電源オフを示す操作信号を受け取ったときは、電源回路１７に電源オフの指示を行うことで、ＡＶデータ処理部１２、ＡＶデータ出力部１３への電源供給を停止させ、放送受信装置１００をスタンバイ状態（待機状態）に移行させる。このため、サブコントローラ１５は放送受信装置１００がスタンバイ状態であっても起動している。
【００２３】
また、放送受信装置１００がスタンバイ状態の際に、電源オンの操作信号をサブコントローラ１５が受け取った時は、サブコントローラ１５は電源回路１７に主電源を投入させる指示を行う。これにより、ＡＶデータ処理部１２、ＡＶデータ出力部１３へ電源が供給され、表示パネル１３ａに映像が表示されスピーカ１３ｂに音声が出力される動作状態に移行する。なお、スタンバイ状態での電力消費を小さく抑えるために、サブコントローラ１５は、メインコントローラ１４よりも消費電力が小さなものを用いることが望ましい。
【００２４】
緊急警報放送監視部１８は、受信部１１から緊急警報放送の検知を可能にするための情報を受けて、緊急警報放送を受信したか否かを判定し、緊急警報放送を受信したと判定した際にサブコントローラ１５に対して、例えば、緊急警報放送信号を受信した旨の信号を送信する。そして、サブコントローラ１５は、緊急警報放送信号を受信した旨の信号を緊急警報放送監視部１８から受け取った際に、放送受信装置１００がスタンバイ状態であれば、電源回路１７に対して、ＡＶデータ処理部１２、ＡＶデータ出力部１３へ電源を供給させることにより、緊急警報放送の放送内容をＡＶデータ出力部１３に出力させる。
【００２５】
ここで、緊急警報放送の放送内容としては、例えば、所定の警報音や、「午後３時１５分ごろ、関東地方で強い地震がありました。」などの地震が発生したことのメッセージ、あるいは、津波警報、津波注意報として津波到達の予想地域と予想時刻などの放送内容が相当する。
【００２６】
緊急警報放送の具体的な検知方法としては、受信部１１は、予め設定された緊急警報放送を提供しているチャンネルで放送を受信し、受信放送波から放送が緊急警報放送であるか否かを識別する情報を取得する。現行の地上デジタル放送には、緊急警報放送の識別情報としては、ＴＭＣＣ（伝送多重制御）信号の緊急警報放送用起動フラグおよびＰＳＩ（番組特定情報）のＰＭＴ（Program Map Table）に緊急情報記述子がある。そして、緊急警報放送監視部１８は、ＴＭＣＣ信号に多重されている緊急警報放送用起動フラグを監視し、フラグが有効であるかどうかをまず判定する。
【００２７】
次に、フラグが有効である場合、緊急警報放送監視部１８は、緊急警報放送の放送データに含まれるＰＭＴに記述されている緊急情報記述子の内容を解析する。解析の結果、緊急警報放送の信号種別と、警報対象地域を示す地域符号とを取得し、例えば、緊急情報記述子のｓｔａｒｔ＿ｅｎｄ＿ｆｌａｇが“１”であって、ａｒｅａ＿ｃｏｄｅが放送受信装置に予め設定されている地域符号（例えば、郵便番号、県名、都市名）に該当していれば、緊急警報放送監視部１８は、緊急警報放送を受信したと判定する。
【００２８】
ここで、緊急警報放送監視部１８は、メインコントローラ１４の監視決定部１４ａからの信号によって、緊急警報放送の監視を行う監視モードに入る。また、監視決定部１４ａが緊急警報放送の監視モードに入ることを決定した場合には、チューナ１１ａは緊急警報放送を提供している特定チャンネルの放送を受信する。
【００２９】
通信部１９は、他の放送受信装置と通信をするためのインターフェースであり、例えば、家庭内にある他の放送受信装置２００，３００のそれぞれの通信部２１９、３１９と定期的にあるいは所定のタイミングで通信を行い、他の放送受信装置における緊急警報放送の監視状態の情報を取得している。そして、各放送受信装置における緊急警報放送の監視状態の情報は、監視状態テーブル１４ｂに記録される。通信技術としては、Ｂｌｕｅｔｏｏｔｈ（登録商標）、無線ＬＡＮなどの近距離無線通信技術を用いることができる。
【００３０】
本実施形態では、放送受信装置１００，２００，３００が緊急警報放送受信システムを構成しており、スタンバイ状態など、緊急警報放送の監視が必要な状態においては、定期的に放送受信装置の緊急警報放送の監視状態を確認し、いずれの放送受信装置も緊急警報放送を監視していない場合には、いずれかの受信機にて新たに緊急警報の監視を開始するようになっている。そのために、放送受信装置は緊急警報放送の監視についての優先順位を持たせ、監視可能な放送受信装置のうち優先順位が最高の放送受信装置が緊急警報放送を監視することで、複数台の放送受信装置が緊急警報放送を監視することによる待機電力の増大を防止している。
【００３１】
緊急警報放送を受信するための優先順位としては、例えば、放送受信装置の製造番号の新しいものほど優先順位が高くなるよう設定したり、放送受信装置の表示パネルのサイズが大きいものほど優先順位が高くなるように設定したりすることにより、自動的に優先順位を決めることが可能である。この場合、各放送受信装置は、通信部を介して、他の放送受信装置の製造番号や表示パネルのサイズ情報を取得し、優先順位を決定することができる。
【００３２】
また、ユーザが緊急警報放送を監視するための優先順位を決めてもよく、例えば、放送受信装置１００の表示パネル１３ａに優先順位を設定するための画面を表示し、リモコンによるユーザ操作にしたがって、各放送受信装置の優先順位を設定するようにしてもよい。この場合、設定した優先順位の情報は、通信部１９を介して他の放送受信装置に転送される。また、いずれの場合においても、設定した優先順位の情報は、共通の優先順位情報として、各放送受信装置のメインコントローラに記録される。
【００３３】
次に、本発明の放送受信装置における処理の手順について説明する。以下、説明に当たっては、３台の放送受信装置（Ａ，Ｂ，Ｃ）がネットワークで繋がれており、そのうちの緊急警報放送を監視していない１台の放送受信装置が緊急警報放送の監視を始める手順について説明するが、他の放送受信装置も監視中でない場合は同じ手順で処理を行うものとする。また、放送受信装置の台数は３台に限定されるものではない。図２は、図１に示す放送受信装置において、緊急警報放送の監視を始める際の手順の一例を説明するためのフロー図である。
【００３４】
まず、放送受信装置１００のメインコントローラ１４は、緊急警報放送の監視状態を確認する（ステップＳ１）。緊急警報放送の監視状態としては、例えば、「監視中」、「監視不可」、「監視可能」の各状態がある。「監視中」は緊急警報放送を監視している状態を示し、例えば、放送受信装置がスタンバイ中で緊急警報放送の受信を監視している状態や、緊急警報放送を提供しているチャンネルのテレビ放送を視聴中の状態が相当する。「監視不可」の状態は、緊急警報放送を監視することができない状態を示し、例えば、緊急警報放送を提供しているチャンネル以外のテレビ放送の視聴を行っている状態、あるいは、録画予約した番組の録画をしている状態が相当する。また、「監視可能」の状態は、緊急警報放送の監視が可能であるが、監視を行っていない状態であり、例えば、スタンバイ状態が相当する。
【００３５】
ステップＳ１の後はステップＳ２へ進み、メインコントローラ１４は他の放送受信装置の緊急警報放送の監視状態を通信部１９を介して確認する。ここで、ステップＳ１とステップＳ２の順番は前後逆になっても構わない。また、緊急警報放送の監視状態の確認のタイミングは、所定の時間間隔で定期的に行う他、これに加えて、ユーザによる放送受信装置の操作や予約による放送受信装置の操作のタイミングに合わせて確認を行うようにしてもよい。
【００３６】
ステップＳ２の後はステップＳ３へ進み、メインコントローラ１４は、必要な情報監視テーブル１４ｂの更新を行う。図３は、監視状態テーブルの一例を示す図であり、ネットワークで繋がれた３台の放送受信装置Ａ、Ｂ、Ｃについて、それぞれ緊急警報放送の監視の状態を記録している。図３では、放送受信装置Ａは「監視中」、放送受信装置Ｂは「監視不可」、放送受信装置Ｃは「監視可能」の各状態を例示している。さらに、図３に示す監視状態テーブル１４ｂは、各放送受信装置の優先順位情報１４ｃを含んだテーブルとなっているが、各放送受信装置の優先順位情報１４ｃについては、別途記録するようにしてもよい。そして、メインコントローラ１４は、ステップＳ１、ステップＳ２で確認した各放送受信装置の監視状態に変更があった場合は、各放送受信装置における監視状態の欄の情報を変更する。
【００３７】
次に、メインコントローラ１４は、自機が緊急警報放送の監視が可能かどうかを判別し（ステップＳ４）、自機（自放送受信装置）が、緊急警報放送の監視が可能でないと判別した場合（ＮＯの場合）は、処理を終了する。ステップＳ４で緊急警報放送の監視が可能であると判別した場合（ＹＥＳの場合）は、ステップＳ５へ進み、他の放送受信装置が緊急警報放送を監視中であるかどうかについて判別する。
【００３８】
ステップＳ５において、他の放送受信装置が緊急警報放送の監視を行っていない場合（ＮＯの場合）、ステップＳ８へ進んで緊急警報放送の監視を開始し、さらに必要な監視状態テーブル１４ｂの更新を行う（ステップＳ９）。この場合の監視状態テーブル１４ｂの変更は、「監視可能」から「監視中」への変更となる。
【００３９】
ステップＳ５において、他の放送受信装置が緊急警報放送の監視を行っている場合（ＹＥＳの場合）、メインコントローラ１４は緊急警報放送を監視中の他の放送受信装置の優先順位情報を取得し（ステップＳ６）、さらに、自機の優先順位が最高であるかどうかを判別する（ステップＳ７）。ステップＳ７で自機の優先順位が最高でない場合（ＮＯの場合）は、処理を終了する。また、ステップＳ７で自機の優先順位が最高である場合（ＹＥＳの場合）は、ステップＳ８に移り、緊急警報放送の監視を開始するとともに、監視状態テーブル１４ｂの更新を行う。この場合の監視状態テーブル１４ｂの変更は、「監視可能」から「監視中」への変更となる。
【００４０】
次に、図２に示した緊急警報放送の監視を始める際の手順を、各放送受信装置の監視状態に関連させて説明する。図４は、複数の放送受信装置における緊急警報放送の監視の遷移を説明するための図である。図４において、時刻ｔ０から時刻ｔ１までは、放送受信装置Ａが緊急警報放送を監視しており、放送受信装置Ｂ、Ｃはそれぞれ監視可能な状態にあるものとする。この間、放送受信装置Ｂ、Ｃはそれぞれ定期的に自他の放送受信装置の緊急警報放送の監視状態を確認しているが、優先順位の高い放送受信装置Ａが緊急警報放送を監視中であるため、図２のステップＳ１〜７までの処理を順番に行い、ステップＳ７でＮＯの場合となるため定期的な処理を終了することになる。
【００４１】
そして、放送受信装置Ａが時刻ｔ１で、例えば録画予約を開始したことにより、緊急警報放送の監視ができなくなった後、定期的なタイミングとして時刻ｔ２に、放送受信装置Ｃが図２で示した処理を開始し、自他の放送受信装置の緊急警報放送の監視状態を確認したとする。この場合、放送受信装置Ｃは、図２のステップＳ１〜５までの処理を行い、ステップＳ３で、図５（Ａ）で示すように、放送受信装置Ａが「監視不可」、放送受信装置Ｂ、Ｃが「監視可能」となるように、自機の監視状態テーブルを変更する。また、ステップＳ５で他の放送受信装置が緊急警報放送を監視中でないことから、Ｓ８に進んで、緊急警報放送の監視を行うことになる。そして、ステップＳ９に進み、自機の監視状態テーブルを、図５（Ｂ）に示すように、自機の放送受信装置Ｃについては「監視可能」から「監視中」となるように更新する。
【００４２】
この状態において、さらに、定期的なタイミングとして時刻ｔ３に、放送受信装置Ｂが図２に示す処理フローを開始し、自他の放送受信装置の緊急警報放送の監視状態を確認したとする。この場合、放送受信装置Ｂは、図２のステップＳ１〜９までの処理を順番に行うことになる。そして、ステップＳ３において、監視状態テーブルの更新を行うが、その時点での監視状態テーブルは図５（Ｂ）に示す内容となる。また、時刻ｔ３では、放送受信装置Ｃが監視中であるが、自機の優先順位が最高であるため、緊急警報放送の監視を始め（ステップＳ８）、さらに、ステップＳ９において、放送受信装置Ｂの監視状態テーブルは、図５（Ｃ）に示すように、放送受信装置Ａが「監視不可」、放送受信装置Ｂは「監視中」、放送受信装置Ｃは「監視中」となるように更新される。
【００４３】
また、放送受信装置Ａが、時刻ｔ５の時点で、例えば、緊急警報放送の監視不可から監視可能な状態になったとする。この場合、図２に示した処理を開始し、ステップＳ１〜９までの処理を順番に行うことになる。そして、ステップＳ３において、監視状態テーブルの自機の監視状態を「監視不可」から「監視可能」に更新し、ステップＳ８で緊急警報放送の監視を開始するとともに、ステップＳ９で、監視状態テーブルの自機の監視状態を「監視可能」から「監視中」に更新することになる。
【００４４】
図４では、優先順位の最も高い放送受信装置Ａが監視不可となったタイミング（時刻ｔ１）の後、優先順位の低い放送受信装置Ｃが放送受信装置Ｂよりも早く図２に示した処理を開始した結果、放送受信装置Ｃが緊急警報放送の監視を一時的に行うことになったが、例えば、放送受信装置Ｂが放送受信装置Ｃよりも早いタイミングで図２に示した処理を開始したとすれば、放送受信装置Ｂが放送受信装置Ａの次に緊急警報放送の監視を行うことになる。さらに、放送受信装置Ｂよりも遅れて放送受信装置Ｃが図２に示す処理を開始した場合は、放送受信装置Ｃは図２のステップＳ１〜７までの処理を順番に行うことになる。そして、ステップＳ７で自機よりも優先順位の高い放送受信装置Ｂが監視中であるため、処理を終了することになる。
【００４５】
以上、図４では、緊急警報放送の受信可能な放送受信装置Ｂ、Ｃが、定期的に自他の放送受信装置の緊急警報放送の監視状態を確認することを前提に、緊急警報放送の監視を開始する場合について説明した。このため、緊急警報放送を監視中の放送受信装置Ａが監視不可の状態になってから、他の放送受信装置が監視中となるまでに、監視を行えない空白期間（時刻ｔ１〜ｔ２の期間）が生じる場合がある。そして、この空白期間を短くするためには、定期的な監視状態確認の周期を短くすればよい。
【００４６】
また、緊急警報放送を監視中の放送受信装置Ａが、例えば、録画予約の開始などによって、緊急警報放送を監視できない状態に移行する場合に、通信手段を介して他の放送受信装置に監視中から監視不可の状態に移る旨の信号を伝達し、その信号の受信をトリガとして、他の放送受信装置が図２に示した処理を行うようにしてもよい。この場合、監視可能な放送受信装置は、すぐに緊急警報放送を監視する状態に移行することができるため、監視の空白期間をなくすことができる。
【００４７】
次に、緊急警報放送を監視中の放送受信装置における処理の手順について説明する。図６は、図１に示す放送受信装置において、緊急警報放送の監視中の手順の一例を説明するためのフロー図である。
【００４８】
まず、緊急警報放送を監視中の放送受信装置１００のメインコントローラ１４は、定期的に他の放送受信装置の緊急警報放送の監視状態を通信手段を介して確認し（ステップＳ１１）、更に、他の放送受信装置における監視状態に変更があった場合は、必要な監視状態テーブル１４ｂの変更を行う（ステップＳ１２）。次に、他の放送受信装置が緊急警報放送を監視中であるかどうかを判別し（ステップＳ１３）、他の放送受信装置が緊急警報放送を監視中でない場合（ＮＯの場合）は、ステップＳ１６に移って緊急警報放送の監視を継続する。
【００４９】
ステップＳ１３において、他の放送受信装置が緊急警報放送を監視中である場合（ＹＥＳの場合）は、メインコントローラ１４は緊急警報放送を監視中の他の放送受信装置の優先順位情報を取得し（ステップＳ１４）、さらに、自機の優先順位が最高であるかどうかを判別する（ステップＳ１５）。
【００５０】
ステップＳ１５で自機の優先順位が最高でない場合（ＮＯの場合）は、緊急警報放送の監視を停止し（ステップＳ１７）、更に、監視状態テーブル１４ｂの更新を行った後（ステップＳ１８）、処理を終了する。この場合の監視状態テーブル１４ｂの更新は、「監視中」から「監視可能」への変更となる。また、ステップＳ１５で自機の優先順位が最高である場合（ＹＥＳの場合）は、ステップＳ１６に移り、緊急警報放送の監視を継続する。
【００５１】
次に、図６に示した緊急警報放送の監視中の際の手順を、各放送受信装置の監視状態と関連させて説明する。例えば、放送受信装置Ｃが、図４に示すように時刻ｔ２において緊急警報放送の監視を開始し、定期的なタイミングである時刻ｔ４において図６に示す処理を開始したとする。この場合、放送受信装置Ｃよりも優先順位の高い放送受信装置Ｂが時刻ｔ３の時点から緊急警報放送の監視を始めているため、放送受信装置Ｃは、ステップＳ１１〜１５、ステップＳ１７、１８の順番で処理を進めることとなる。そして、放送受信装置Ｃは、時刻ｔ４以降は、緊急警報放送の監視を停止し、「監視可能」な状態に移ることになる。
【００５２】
同様に、ｔ６において、放送受信装置Ｂが図６に示した処理を開始した際には、放送受信装置Ｂよりも優先順位の高い放送受信装置Ａが監視中となっているため、放送受信装置Ｂは、ステップＳ１１〜１５、ステップＳ１７、１８の順番で処理を進めることとなる。そして、放送受信装置Ｂは、時刻ｔ６以降は、緊急警報放送の監視を停止し、「監視可能」な状態に移ることになる。また、放送受信装置Ａが時刻ｔ６以降に、図６に示す処理フローを開始した場合、ステップＳ１１〜１３、ステップＳ１６の順番で処理を進めることになり、緊急警報放送の監視を継続して行うことになる。
【００５３】
次に、本発明の放送受信装置における他の処理の手順について説明する。図７は、図１に示す放送受信装置において、緊急警報放送の監視を始める際の手順の他の例を説明するためのフロー図であり、図８は、図１に示す放送受信装置において、緊急警報放送の監視中の手順の他の例を説明するためのフロー図である。
【００５４】
図２あるいは図６で示した処理フローでは、放送受信装置が定期的にこれらの処理を開始するため、２台の放送受信装置が緊急警報放送の監視を行うといった重複期間が生じることがあった。例えば、図４において、時刻ｔ３〜ｔ４の期間においては放送受信装置Ｂ、Ｃの２台、時刻ｔ５〜ｔ６の期間においては放送受信装置Ａ、Ｂの２台が緊急警報放送を監視しており、この間の電力消費を削減することができなかった。このため、図７、図８で示した処理では、緊急警報放送の監視を始める際に、他の放送受信装置に対して緊急警報放送の監視を行う旨の通知をすることにより、緊急警報放送の監視の重複期間をなくすようにしている。
【００５５】
まず、図７に示した緊急警報放送の監視を開始する処理手順では、自機が緊急警報放送を監視可能であり（ステップＳ２４でＹＥＳの場合）、他の放送受信装置が緊急放送を監視中であり（ステップＳ２５でＹＥＳの場合）、かつ、自機の優先順位が最高である場合（ステップＳ２７でＹＥＳの場合）、ステップＳ２８で、放送受信装置は緊急警報放送の監視を開始するとともに、ステップＳ２９において、他の放送受信装置に対して自機が緊急警報放送の監視を開始する旨の通知を行っている。他の処理フローに関して、例えば、ステップＳ２１〜２７までの処理は、図２で示したステップＳ１〜７までの処理に対応しており、ステップＳ３０，３１の処理は図２のステップＳ８，９に対応しているため、それらの処理手順の説明は省略する。
【００５６】
次に、図８に示した緊急警報放送を監視中の処理フローでは、他の放送受信装置から緊急警報放送の監視を開始する旨の通知があったか否かを判別し（ステップＳ４１）、他の放送受信装置から緊急警報放送の監視を開始する旨の通知がない場合（ＮＯの場合）は、緊急警報放送の監視を継続し（ステップＳ４２）、他の放送受信装置から緊急警報放送の監視を開始する旨の通知があった場合（ＹＥＳの場合）は、緊急警報放送の監視を停止し（ステップＳ４３）、更に、監視状態テーブル１４ｂの更新を行った後（ステップＳ４４）、処理を終了する。この場合の監視状態テーブル１４ｂの更新は、「監視中」から「監視可能」への変更となる。
【００５７】
図８に示した緊急警報放送を監視中の処理フローは、図６に示した緊急警報放送を監視中の処理手順よりも簡単なロジックの処理フローとなっているが、他の放送受信装置から緊急警報放送の監視を開始する旨の通知を受ける場合は、図７で示したように、緊急警報放送の監視を開始する旨の通知を行った他の放送受信装置の方が、常に優先順位の高い放送受信装置に限られるからである。
【００５８】
なお、図７、図８に示した処理手順においても、緊急警報放送の監視を行っている状態から緊急警報放送の監視を停止した状態に移行した際に、他の放送受信装置に対して緊急警報放送の監視を停止する旨の信号を送信することにより、緊急警報放送の監視の空白期間を避けるようにしてもよい。
【００５９】
以上、本発明に係る放送受信装置を中心に説明したが、本発明は、この放送受信装置における処理のフローで例示したように、緊急警報放送処理方法としての形態も採り得る。この緊急警報放送処理方法は、メインコントローラ１６で例示した制御部が各処理フローで示した処理を実行する方法である。また、本発明は、その緊急警報放送処理方法をコンピュータにより実行させるための緊急警報放送処理プログラムとしての形態も採り得る。
【００６０】
さらに、本発明は、その緊急警報放送処理プログラムをコンピュータにより読み取り可能な記録媒体に記録したプログラム記録媒体としての形態についての形態も採りえる。このコンピュータとしては、上述したように、マイコンに限らず、ＰＣやプログラム可能な汎用の集積回路／チップセットなど、様々な形態のコンピュータが適用できる。また、このプログラムは、可搬の記録媒体を介して流通させるに限らず、インターネット等のネットワークを介して、また放送波を介して流通させることもできる。ネットワークを介して受信するとは、外部サーバの記憶装置などに記録されたプログラムを受信することを指す。
【００６１】
以上説明したように、本発明に係る放送受信装置は、デジタル放送を受信する受信部と、表示部と、受信したデジタル放送に含まれる緊急警報放送の監視を行う緊急警報放送監視部と、他の放送受信装置との通信を行う通信部と、前記緊急警報放送監視部が前記緊急警報放送の受信を検知した際に、前記緊急警報放送の放送内容を前記表示部に表示する制御部とを備えた放送受信装置において、前記制御部は、緊急警報放送の監視が可能な状態の際に、前記通信部を介して他の放送受信装置と通信を行い、他の放送受信装置が緊急警報放送の監視を行っていない場合、あるいは、予め定めた優先順位にしたがって自放送受信装置よりも優先順位の低い他の放送受信装置が緊急警報放送の監視している場合に、前記緊急警報放送監視部に緊急警報放送の監視を行わせることを特徴とするものである。これにより、緊急警報放送を受信可能な複数の放送受信装置のうち、少なくとも１台の放送受信装置によって緊急警報放送を監視できるため、複数の放送受信装置におけるスタンバイ中の消費電力を削減しつつ、緊急警報放送の監視を確実に継続することができる。
【００６２】
また、前記制御部は、緊急警報放送の監視を行っている際に、前記通信部を介して他の放送受信装置と通信を行い、自放送受信装置よりも前記優先順位の高い他の放送受信装置が緊急警報放送の監視している場合に、前記緊急警報放送監視部に緊急警報放送の監視を停止させることが望ましい。これにより、複数の放送受信装置のうち、緊急警報放送を監視可能な最も優先順位の高い放送受信装置に緊急警報放送を確実に監視させることができる。
【００６３】
また、前記制御部は、緊急警報放送監視部に緊急警報放送の監視を行わせる際に、他の放送受信装置に対して、緊急警報放送の監視を始める旨の信号を送信してもよく、さらに、前記制御部は、緊急警報放送の監視を行っている際に、他の放送受信装置が監視を始める旨の信号を受信した場合に、前記緊急警報放送監視部に緊急警報放送の監視を停止させてもよい。これにより、複数の放送受信装置が重複して緊急警報放送の監視を行うことがなくなり、全体の電力消費を削減できる。
【００６４】
また、前記制御部は、緊急警報放送の監視を行っている状態から緊急警報放送の監視を停止した状態に移行した際に、他の放送受信装置に対して緊急警報放送の監視を停止する旨の信号を送信してもよい。これにより、緊急警報放送の監視を行えない空白期間をなくすことが可能となる。
【００６５】
さらに、他の放送受信装置との通信は、定期的に行う他、これに加えて、ユーザによる放送受信装置の操作や予約による放送受信装置の操作のタイミングに合わせて緊急警報放送の監視状態が変更された際にも行うことが望ましい。これにより、着実に、緊急警報放送の監視が可能な放送受信装置に監視を行わせることが可能になる。
【００６６】
また、以上の実施例においては、監視決定部、監視状態テーブル、優先順位情報をメインコントローラに具備させたが、監視決定部、監視状態テーブル、優先順位情報をサブコントローラに具備し、サブコントローラと通信部を接続する構成も可能である。この構成の場合、本発明の制御部はサブコントローラが担うことになるが、監視状態が監視中または監視可能の場合にメインコントローラの電源を切断することが可能となり、待機電力の削減が可能となる。そして、緊急警報放送監視部が緊急警報放送の受信を検知した際は、サブコントローラがメインコントローラの電源をオンすることによって緊急警報放送の放送内容を表示部に表示させることになる。
【符号の説明】
【００６７】
１１…受信部、１２…ＡＶデータ処理部、１３…ＡＶデータ出力部、１４…メインコントローラ、１５…サブコントローラ、１６…リモコン受信部、１７…電源回路、１８…緊急警報放送監視部、１９，２１９，３１９…通信部、１００，２００，３００…放送受信装置。
【図１】
2014192834.tif 000003
【図２】
2014192834.tif 000004
【図３】
2014192834.tif 000005
【図４】
2014192834.tif 000006
【図５】
2014192834.tif 000007
【図６】
2014192834.tif 000008
【図７】
2014192834.tif 000009
【図８】
2014192834.tif 000010